(57)【要約】【課題】  洗濯することにより何度も使用できる生理用品が販売されているが、この洗濯は不潔であり不衛生である、従来はこの洗濯を当然の事としてしていたが、進歩した現代社会では、不衛生な洗濯は嫌悪され実施率は極めて低率になる。【解決手段】  生理用品を柔軟な濃色の防水性の袋に入れ、水、洗剤を適宜適当に入れ、袋を押し揉み水を交換しながら揉み洗いを繰り返すことにより、手を生理用品に触れず、又見ないで、生理用品を清潔、衛生的に洗濯し社会の要望に応える。【選択図】図１
2008055124.tif 000002
【特許請求の範囲】
【請求項１】
柔軟な防水性素材にて縦長形状の洗濯袋を作成し、該洗濯袋の上部に開閉自在の出し入れ入れ口と給水管を接続した給水管接続具及び排水管を接続した排水管接続具を設けてなることを特徴とする、特殊汚れ物洗濯用袋装置及びその洗濯方法。
【請求項２】
請求項１記載の特殊汚れ物洗濯用袋装置及びその洗濯方法において、洗濯袋を濃色にしてなることを特徴とする特殊汚れ物洗濯用袋装置及びその洗濯方法。
【請求項３】
請求項１記載の特殊汚れ物洗濯用袋装置及びその洗濯方法において、洗濯袋内に洗濯物と水及び洗剤を入れ、洗濯袋を外部より押し揉みする洗濯方法を特徴とする、特殊汚れ物洗濯用袋装置及びその洗濯方法。
【発明の詳細な説明】
【技術分野】
【０００１】  本発明は、一般家庭の洗濯機にて洗濯するに適しない特殊な汚れ物を洗濯するもの、特に女性の生理用品を洗濯する洗濯用具に関するものである。
【背景技術】
【０００２】  女性の生理用品として洗濯して何度も反復使用するものが最近市場にて販売されているが、このものは手にて洗濯するか、又は通常の家庭洗濯機にて生理用品のみを洗う方法がなされており、生理用品を洗濯することを目的とした装置器具は全く存在していない。【０００３】
【特許文献】  見当たらない。
【発明の開示】
【発明が解決しようとする課題】
【０００４】  現今は女性の生理用品として高分子吸水紙にて作製された使い捨ての生理用品が主流になっているが、環境保全として、使い捨てでなく、洗濯して何度も反復使用できるものが、最近市販されるようになった、しかしこのものは洗濯に際し他の洗濯物と一緒に洗濯機の中に入れ洗濯する事ができず、生理用品のみを洗濯機にて洗う事も水、電力の経済面から実施は好ましいものでない。
古い時代に返り手にて洗濯すれば電力を使用せず、水の消費も少なく、経済的であるが衛生上より、又不潔感からも、現今の女性に到底受入れられるものでない。
反復して使用できる生理用品は趣旨としては良好であるが、現代の女性に歓迎されなければ普及しない、そこで洗濯の処理が衛生的に清潔にできるものが要望されている。
【課題を解決するための手段】
【０００５】  本発明は上記問題点を解決するためになされたものであって、特に現今女性の心理面を考慮して、なされたものである。
自己の生理にて汚れたものとしても、現今女性は生理用品を手にて洗濯することは嫌悪するため、実施は極めて困難である、それは社会環境の進歩により当然のことである。
そこで手を生理用品に触れず洗濯を可能にする用具を開発し、問題を解決させる。
衛生面と不潔、不快感を解決するため、汚れた生理用品を、防水性の柔軟な袋に入れる、この袋は中が見えないよう濃色にする、袋の出し入れ口は、機密性の機能を持つスライドファスナーを使用する。
この袋の材質としては、ビニールのような柔軟な材質の合成樹脂が製作が容易であり価格も安価であるため好適である。
洗濯には水が必要であるため、この洗濯袋に水を入れる給水管と、水を出す排水管を設ける、この両管は柔軟な材質であれば、どのような素材を使用してもよいことは勿論であるが、ゴム、合成樹脂、等が好適な素材である。
給水管の先端には、水道蛇口に連結するための接続具を設ける、この給水管と、排水管には、洗濯袋に水を出し入れするためのバルブが設けられる。
本発明は洗濯袋内に汚れた生理用品を入れ、スライド、ファスナーを閉じて、洗濯袋内に水を適量入れ、手にて洗濯袋を適宜回数揉み、排水し、又水を入れて揉む、最初は水のみにて、一次洗濯し、次に洗剤を入れ二次洗濯し最後は水にて濯ぎ洗いをして終了する。
洗濯袋内に洗剤を入れる場合に水道蛇口から給水管を外し給水管内に入れてもよいが、接続具を外す手数を省略するため、給水管又は洗濯袋の適宜箇所に、洗剤入れ部を設けてもよく、又スライド、ファスナーを少し開けて洗剤を入れることも容易であるため、洗剤を入れる方法については、どのような方法にても良いことは勿論である。
本発明の洗濯方法は洗濯物に直接、手を触れず、又洗濯物を見えなくして行うと言う、従来に無い特異な独特の洗濯方法である、その洗濯方法により不潔な洗濯物を衛生的に清潔に洗濯することを可能としたものである。
【発明の効果】
【０００６】  本発明は次の効果を奏する、汚れた生理用品を洗濯する場合において、不潔な生理用品に直接手を触れず洗濯が可能である、このため衛生的であり、不潔感を持たないで、洗濯ができる、又臭気の発散も防止するため不快感も解消する。
水の必要量も少なく、電力を全く消費しないため経済的である、しかも本発明洗濯袋は安価であり、長らく使用てきる。
生理用品を反復使用するため、環境保全、資源保護の面においても効果を発生するものである、従来にて使用者が生理の際に要した費用を低下し得ることは勿論である。
生理用品メーカーは、現今の使い捨て商品にて、大きな収益を得ているが、本発明の普及により、その収益は低下が予想される、その低下が本発明の効果の証明である。
【発明を実施するための最良の形態】
【０００７】  濃色の柔軟な防水性素材にて、生理用品を収納し洗濯する袋を作成し、この袋の適宜箇所に、スライド、ファスナーにて生理用品の出し入れ口を設ける。
上記袋の適宜箇所に給水管及び排水管を接続し、両管の適宜箇所に逆止弁及び排水バルブを設け、給水管の上端に水道蛇口接続用の蛇口接続具を設ける。
洗濯袋内に洗剤を入れる場合は、スライド、ファスナーを少し開けて入れるか、又は他の適宜箇所に洗剤入れ部を設ける方法がある。
【実施例】
【０００８】  以下本発明を図面に基づき詳細に説明する、図１は本発明の特殊汚れ物洗濯用袋装置及び洗濯方法の実施例を示した説明図であって、、１は洗濯すべき物品を入れる袋である、この袋１は、ビニールのような合成樹脂、の柔軟な防水性素材にて作製するのが加工が容易であり安価であるため好適である、この袋１の中に汚れた物、例えば生理にて汚れた物を入れて洗濯する、そのため、洗濯袋１の内部が見えないのが視覚的に好ましい、よって洗濯袋１は内部が見えないよう濃色にする事が最も必要である。
内部が見えなければ洗濯の進捗状況が判断不能であるが、洗濯排水の色を見れば分かり、又本発明の洗濯を何度か経験すれば、洗濯の要領は会得することができ、排水の色を度々見なくとも洗濯状況は判断することが可能になる。
２は洗濯袋１の上部に設けられた機密性のスライド、ファスナーであって、このスライド、ファスナー２を開閉するすることにより、洗濯袋１に洗濯物を出し入れする。
洗濯袋１の出し入れ口はスライド、ファスナー２に限定されたものでなく、どのような開閉部品を使用しても可能なことは勿論である。【０００９】  洗濯には、水が必要なるため洗濯袋１の上部左端に給水管接続具３を取り付け、この給水管接続具３に給水管５の下端を接続する、給水管５の上端には水道蛇口に接続するための蛇口接続具９が取り付けられる、水道の蛇口を開く事により洗濯袋１内に水を適量、流入し、当初は水と洗濯物のみ洗濯袋１に入れ、手で洗濯袋１を揉み洗いする。
７は給水管５の適宜箇所に設けられた逆止弁であって、洗濯袋１内の汚水が水道蛇口に逆流することを防止するものである。
この逆止弁７は無くとも支障なく洗濯は可能であるが、逆止弁７が無ければ洗濯袋１内の汚水が水道蛇口まで逆流するため、不潔感が生じ好ましくない。
４は排水管接続具であって、洗濯袋１の上部右端に設けられており、排水管６が接続されている、この排水管６の適宜箇所には排水バルブ８が設けられており、この排水バルブ８を開き、洗濯袋１の下端を上方に巻き上げると、洗濯袋１内の水は排水管６を通り排出される。
給水管５及び排水管６は柔軟性の管であるが、素材としては天然ゴム、合成ゴム、合成樹脂等が好適材料であり、この両管は濃色のものを使用し、生理の不快な色を見せなくすることがし不潔感を解消する上に重要である。
本実施例は給水、排水を洗濯袋１の上部よりしているが、洗濯袋１のどの箇所にても実施可能なるため、給水、排水の取付け位置は上部に限定されたものでなく、可能箇所なれば、どこに設けても良いことは勿論である。【００１０】  以下本発明の洗濯方法を図１により説明する、洗濯袋１のスライド、ファスナー２を開き、汚れた生理用品又は汚れ物を中に入洗濯袋１の中に入れスライド、ファスナー２を閉じる。
当初は洗濯袋１内に水のみを適量入れ、手にて洗濯袋１を適当数押し揉む、この処理は汚れを押し出す作業である、この処置を適当数行い排水し、更に水を入れ押し揉みをする、水洗いを何度が実施したる後に、洗剤を入れて同様の押し揉みをを適当数、行い、最後は水のみにて濯ぎ洗いをして終了する、最後の濯ぎは、不潔でないため、通常の容器を使用してもよいことは勿論である、洗濯袋１内に洗剤を入れるに際し特別に入れ装置を設けてもよいがスライド、ファスナー２を明けて入れるのが簡便である。
本発明は袋を介して洗濯するため、手を全く不潔にせず衛生的な洗濯ができ、且つ効率の良い洗濯ができるため水と洗剤が節約でき経済的である、生理用品を反復使用するため環境保全にも効果がある。
【産業上の利用の可能性】
【００１１】  環境保線上より近年は洗濯し反復使用する生理用品が販売されるようになってきたが、趣旨のみでは普及しない、衛生的な洗濯手法が実現してこそ趣旨が可能になる。
本発明は、その趣旨を達成させるためになされた発明であるため利用の可能性は極めて高いものである。
【図面の簡単な説明】
【００１２】  図１は本発明の特殊汚れ物洗濯用袋装置及びその洗濯方法の構成を示す説明図である。
【符号の説明】
【００１３】  １  洗濯袋
２  スライド、ファスナー
３  給水管接続具
４  排水管接続具
５  給水管
６  排水管
７  逆止弁
８  排水バルブ
９  蛇口接続具
【図１】
2008055124.tif 000003